(57)【要約】【課題】打込み初期の貫入抵抗が小さく、しかも貫入方向も安定する溝付きコンクリート２段ピンの提供。【解決手段】拡径頭部２側の大径軸部３ａと、先端側の小径軸部３ｂとをテーパ状の段部５を介して接続してなるコンクリート２段ピンにおいて、上記軸部３の周面には、軸方向に平行な複数の縦溝７を形成したことを特徴とする。なお、前記縦溝７は、大径軸部３ａと小径軸部３ｂを含む全周面に形成してもよいが、少なくとも先端を含む部位に形成するのが好ましい。【選択図】　　　　図１
2004144121.tif 000002
【特許請求の範囲】
【請求項１】
拡径頭部側の大径軸部と、先端側の小径軸部とをテーパ状の段部を介して接続してなるコンクリート２段ピンにおいて、上記軸部の周面には、軸方向に平行な複数の縦溝を形成したことを特徴とする溝付きコンクリート２段ピン。
【請求項２】
前記縦溝が、少なくとも先端を含む部位に形成された、請求項１記載の溝付きコンクリート２段ピン。
【発明の詳細な説明】
【０００１】
【発明の属する技術分野】
本発明は、コンクリート面に金属板などを固定するために使用される溝付きコンクリート２段ピンに関する。
【０００２】
【従来技術とその問題点】
この種のコンクリートピンは先端が砲弾形をなしており、高圧の釘打機によって打込むように構成されている。
【０００３】
ところが、コンクリートピンとコンクリートに形成されたピンの貫入孔との間にはあまり大きな接触抵抗はないので、コンクリートピンの引抜き耐力は小さい。そのため、軸部の表面に溝を形成したり、軸部の先端側部分を頭部側部分よりも大径にしたコンクリートピンが知られている（例えば、特許文献１、特許文献２参照）。
【０００４】
また、コンクリートピンが瞬間的に大きな力で打込まれると、コンクリートの内部に進入するときの破壊強度によりクラックが発生することが多い。このような欠点を解消するため、コンクリートピンの軸部のうち頭部側を大径とし、先端側を小径とした２段ピンが提案されている（例えば、特許文献２参照）。
【０００５】
さらに、このコンクリート２段ピンの周面には平行な複数の傾斜溝が形成され、打ち込み時には回転しながら貫入して貫入抵抗が小さくなるようにしている。また、打込み終了後には、傾斜溝により表面積（接触面積）が増大するようにして引抜き耐力を向上させている。
【０００６】
しかしながら、上記特許文献１〜３のコンクリートピンは、いずれも打込み初期（先端部がコンクリートに進入していくとき）の貫入抵抗が大きいという問題がある。また、特許文献３のように傾斜溝を形成したものは、貫入方向が定まりにくく、貫入安定性に欠けるという問題がある。したがって、近年増えつつある高硬度ＰＣ（ｐｒｅｃａｓｔ　ｃｏｃｒｅｔｅ）材（圧縮強度５００Ｋｇｆ／ｃｍ２）に打込むときには曲がって貫入してしまうというおそれがあった。
【０００７】
【特許文献１】
実公平７−３６１７６号公報（全文、図１〜図６）
【特許文献２】
実開昭５４−１６１４６０号公報（第２頁、図１〜図３）
【特許文献３】
特開２００２−８１４２４号公報（第２頁、図１〜図３）
【０００８】
【発明が解決しようとする課題】
本発明は上記問題点を解消し、打込み初期の貫入抵抗が小さく、しかも貫入方向も安定する溝付きコンクリート２段ピンを提供することをその課題とする。
【０００９】
【課題を解決するための手段】
前記課題を解決するため、本発明に係る溝付きコンクリート２段ピンは、拡径頭部側の大径軸部と、先端側の小径軸部とをテーパ状の段部を介して接続してなるコンクリート２段ピンにおいて、上記軸部の周面には、軸方向に平行な複数の縦溝を形成したことを特徴とする。
【００１０】
なお、前記縦溝は、少なくとも先端を含む部位に形成するのが好ましい。
【００１１】
【発明の効果】
請求項１に係る発明によれば、上記２段ピンは２段形状で、先端側の小径部は細く形成されているので、進入抵抗は小さい。しかも、２段ピンがコンクリートに貫入する際、軸部の周面には、軸方向に平行な複数の縦溝が形成されているので、軸部はその軸方向に進入しようとするから、２段ピンの貫入方向が安定する。したがって、高硬度コンクリートに打込むときも曲がって貫入することがなく、真直に貫入させることができる。
【００１２】
また、上記縦溝により軸部の表面積は大きくなる。したがって、打ちこみ終了後はコンクリートと２段ピンの軸部との接触面積も非常に大きくなるから、引抜き耐力は大幅に向上する。
【００１３】
請求項２に係る発明によれば、縦溝は上記先端にも形成されているから、先端付近の横断面の端面の面積は縦溝がないものに比べて小さくなる。このため、打ち込み初期の２段ピンの先端の進入抵抗も縦溝がない場合に比べてさらに小さくなる。したがって、打ち込み時の貫入性能が向上し、高硬度コンクリートに対しても上記２段ピンを確実に貫入させることができる。
【００１４】
【発明の実施の形態】
図１は本発明に係る溝付きコンクリート２段ピン（以下単に２段ピンという）の斜視図であり、図２はその大径軸部の拡大横断面図である。
【００１５】
同図において符号１は２段ピンを示す。この２段ピン１は、拡径頭部２と軸部３とから構成され、軸部３は拡径頭部２側の大径軸部３ａと先端側の小径軸部３ｂとからなり、拡径頭部２の下部には首部４が形成され、首部４の下部には大径軸部３ａが形成され、さらに大径軸部３ａと小径軸部３ｂとはテーパ状の段部５を介して接続されている。首部４も緩やかに彎曲するテーパ状に形成されている。先端部６は砲弾形に形成されている。
【００１６】
次に、軸部３の周面には複数の縦溝７が形成されている。これらの縦溝７は上記大径軸部３ａから小径軸部３ｂの先端まで連続的に形成されている。軸部３の周面に多くの縦溝７を形成することにより、軸部３の表面積は増大するから、打ち込み後にコンクリートとの接触面積が大きくなる。
【００１７】
また、軸部３の周面に形成された縦溝７は、軸方向に平行に連続形成されている。なお、縦溝７はＶ字形に限らない。Ｕ字形でもよい。
【００１８】
上記構成の２段ピン１を高硬度コンクリートに打ち込む場合の例について説明する。まず、図３に示されるように、釘打機に２段ピン１を装填して上記コンクリート８に向けて打ち出すと、２段ピン１の砲弾形の先端はコンクリート８内に進入して打込まれる。
【００１９】
このとき、上記２段ピン１は２段形状で、先端側の小径部は細く形成されているので、進入抵抗は比較的小さい。しかも、縦溝７は上記先端にも形成されているので、先端付近の横断面は図４のようになり、その端面の面積は縦溝７がないものの面積（同図の点線内の面積）に比べて小さくなるから、打ち込み初期の小径軸部３ｂの進入抵抗も縦溝７がない場合に比べてさらに小さくなる。したがって、打ち込み時の貫入性能が向上し、高硬度コンクリートに対しても上記２段ピン１を確実に貫入させることができる。
【００２０】
また、２段ピン１がコンクリートに貫入する際、軸部３の周面には、大径軸部３ａから小径軸部３ｂの先端まで軸方向に平行な複数の縦溝７が連続形成されているので、軸部３はその軸方向に進入しようとするから、２段ピン１の貫入方向が安定する。したがって、高硬度コンクリートに打込むときも曲がって貫入することがなく、貫入途中で骨材（グリ）に当たっても、コンクリートピンが首下まで入りやすい。
【００２１】
さらに、軸部３の周面に複数の縦溝７が連続形成されているため、軸部３の表面積は大きくなる。したがって、打ちこみ終了後はコンクリートと２段ピン１の軸部３との接触面積も非常に大きくなるから、引抜き耐力が格段に向上する。
【００２２】
図５は、上記２段ピン１の他の実施形態を示すもので、基本的形状は図１に示すものと同じであるが、この２段ピン１は、縦溝７が大径軸部３ａの下部の段部５と小径軸部３ｂにのみ形成されている。
【００２３】
上記構成によっても、２段ピン１は２段形状で、進入抵抗は比較的小さく、縦溝７は先端まで形成されているから、打ち込み初期の小径軸部３ｂの進入抵抗はさらに小さくなるから、打ち込み時の貫入性能が向上し、高硬度コンクリートに対しても確実に貫入させることができる。
【００２４】
また、軸部３の周面には、段部５から小径軸部３ｂの先端まで縦溝７が連続形成されているので、打ちこみ初期に２段ピン１の貫入方向が安定し、高硬度コンクリートに打込むときも真直に貫入させることができる。
【００２５】
さらに、縦溝７により軸部３の表面積は大きくいから、コンクリートと２段ピン１の軸部３との接触面積も大きくなり、その分だけ引抜き耐力が向上する。
【００２６】
図６は、上記２段ピン１のさらに別の実施形態を示すもので、基本的形状は図１に示すものと同じであるが、この２段ピン１は、縦溝７が大径軸部３ａとその下部の段部５とにのみ形成されている。
【００２７】
上記構成によっても、２段ピン１は２段形状で、進入抵抗は比較的小さいから、打ち込み時の貫入性能が向上し、高硬度コンクリートに対しても確実に貫入することができる。
【００２８】
また、軸部３の周面には、縦溝７が大径軸部３ａとその下部の段部５に連続形成されているので、コンクリート面が２段ピン１の段部５にまで達した後はその貫入方向が安定し、高硬度コンクリートに打込むときも真直に貫入させることができる。
【００２９】
さらに、縦溝７により軸部３の表面積は大きくいから、コンクリートと２段ピン１の軸部３との接触面積も大きくなり、その分だけ引抜き耐力が向上する。
【図面の簡単な説明】
【図１】本発明に係る溝付きコンクリート２段ピンの斜視図
【図２】上記２段ピンの大径軸部の拡大横断面図
【図３】上記２段ピンのコンクリートに対する貫入途中の側面図
【図４】上記２段ピンの先端付近の拡大横断面図
【図５】他の実施形態に係る２段ピンの斜視図
【図６】さらに別の実施形態に係る２段ピンの斜視図
【符号の説明】
１　溝付きコンクリート２段ピン
３ａ　大径軸部
３ｂ　小径軸部
７　縦溝
【図１】
2004144121.tif 000003
【図２】
2004144121.tif 000004
【図３】
2004144121.tif 000005
【図４】
2004144121.tif 000006
【図５】
2004144121.tif 000007
【図６】
2004144121.tif 000008